(57)【特許請求の範囲】
【請求項１】
放送信号の受信処理を行う少なくとも一つの受信部と、
前記受信部を用いて特定のチャンネルに関して予め設定された時間帯を繰り返して録画する繰り返し録画を実行する第１の録画部と、
前記繰り返し録画の実行中に放送中の番組のチャンネル変更の発生を検知する制御部と、
前記制御部による検知に基づき、前記受信部を用いて前記チャンネル変更による変更後のチャンネルで放送される継続番組の録画を実行する第２の録画部と、
繰り返し録画による録画データが記録される第１の録画領域と通常録画による録画データが記録される第２の録画領域とを有する記録部と、
を備え、
前記制御部は、複数の前記受信部のうち使用可能な前記受信部を用いて前記継続番組を通常録画するための録画予約を設定し、前記第２の録画部は前記設定された録画予約に基づいて録画を実行し、
前記制御部は、前記第１の録画領域に記録された前記チャンネル変更の発生した番組が前記第１の録画領域の空き容量に基づいて自動的に削除されたときに、前記第２の録画領域に記録された前記継続番組を削除する、録画装置。
【請求項２】
前記制御部は、前記第１の録画領域に記録された前記チャンネル変更の発生した番組を前記第２の録画領域に保存するときに、前記チャンネル変更の発生した番組と前記継続番組とを結合することを特徴とする請求項１に記載の録画装置。
【請求項３】
放送信号の受信処理を行う少なくとも一つの受信部と、
前記受信部を用いて特定のチャンネルに関して予め設定された時間帯を繰り返して録画する繰り返し録画を実行する第１の録画部と、
前記繰り返し録画の実行中に放送中の番組のチャンネル変更の発生を検知する制御部と、
前記制御部による検知に基づき、前記受信部を用いて前記チャンネル変更による変更後のチャンネルで放送される継続番組の録画を実行する第２の録画部と、
繰り返し録画による録画データが記録される第１の録画領域と通常録画による録画データが記録される第２の録画領域とを有する記録部と、
を備え、
前記制御部は、複数の前記受信部のうち使用可能な前記受信部を用いて前記継続番組を通常録画するための録画予約を設定し、前記第２の録画部は前記設定された録画予約に基づいて録画を実行し、
前記制御部は、前記継続番組を録画可能な繰り返し録画の録画計画が設定されているかを判定し、前記判定結果に応じて前記録画予約を設定するか否かを切替える、録画装置。
【請求項４】
前記制御部は、前記第１の録画領域に記録された前記チャンネル変更の発生した番組が前記第１の録画領域の空き容量に基づいて自動的に削除されたときに、前記第２の録画領域に記録された前記継続番組を削除することを特徴とする請求項３に記載の録画装置。
【請求項５】
前記制御部は、前記第１の録画領域に記録された前記チャンネル変更の発生した番組を前記第２の録画領域に保存するときに、前記チャンネル変更の発生した番組と前記継続番組とを結合することを特徴とする請求項３又は請求項４に記載の録画装置。
【請求項６】
前記制御部は、前記第１の録画領域に記録された前記チャンネル変更が発生した番組と前記継続番組のうちいずれか一方を前記第２の録画領域に保存したときに、他方も前記第２の録画領域に保存し、前記第２の録画領域に保存された前記チャンネル変更が発生した番組と前記継続番組を結合することを特徴とする請求項３〜請求項５のいずれか１項に記載の録画装置。
【請求項７】
前記制御部が前記一方を保存する際に、前記他方が前記第１の録画領域の空き容量に基づいて自動的に削除されていたときは、その旨を通知する第１の通知部を更に備えることを特徴とする請求項６に記載に録画装置。
【請求項８】
前記制御部は、前記継続番組を録画するために使用可能な前記受信部がないとき、前記継続番組と重複する通常録画予約が設定され、且つ当該通常録画予約による録画予定番組を録画可能な繰り返し録画の録画計画が設定されているかを判定し、
前記判定結果に基づいて前記通常録画予約を取り消し、
前記通常録画予約の取り消しによって使用可能となった前記受信部を用いて前記継続番組を通常録画するための録画予約を設定することを特徴とする請求項１〜請求項７のいずれか１項に記載の録画装置。
【請求項９】
前記制御部によって前記通常録画予約が取り消された旨を通知する第２の通知部を更に備えることを特徴とする請求項８に記載の録画装置。
【請求項１０】
前記制御部は、所定の物理チャンネルに含まれる第１論理チャンネルについての繰り返し録画中に前記チャンネル変更の発生を検知し、前記第２の録画部は、前記所定の物理チャンネルに含まれる第２論理チャンネルの前記継続番組の録画を実行することを特徴とする請求項１〜請求項９のいずれか１項に記載の録画装置。
【請求項１１】
繰り返し録画によって録画された前記チャンネル変更が発生した番組を再生する再生部と、
前記再生部による再生が終了すると、録画された前記継続番組の再生を実行するかを選択する選択部と、を更に備え、
前記再生部は、前記選択部における選択結果に応じて前記継続番組の再生を実行することを特徴とする請求項１〜請求項１０のいずれか１項に記載の録画装置。
【発明の詳細な説明】
【技術分野】
【０００１】
本発明は、録画装置に関する。
【背景技術】
【０００２】
従来、或るチャンネルで放送中の或る番組の放送時間が延長された場合などに、上記チャンネルとは異なるチャンネルに変更して、上記番組の放送が継続されるイベントリレーと呼ばれるサービスが行われている（例えば、特許文献１参照）。このようなイベントリレーは、野球の生中継など、イベントの終了時間が予測できない番組でよく行われる。
【０００３】
また、従来の録画装置には、上記イベントリレーが録画中に発生した場合にイベントリレーに自動的に追従して録画を行う機能を有するものがあった。
【０００４】
より具体的に説明すると、放送波にはＥＩＴ[p/f]データ（現在放送中の番組タイトルや番組詳細が含まれるデータ）が含まれており、イベントリレーが発生した場合に上記ＥＩＴ[p/f]データにイベントグループ記述子（EVENT GROUP descriptor）が挿入される。即ち、ＥＩＴ[p/f]データにイベントグループ記述子が含まれるかによってイベントリレーを検知していた。
【０００５】
録画中にこのようにイベントリレーの発生を検知した場合、録画装置はイベントグループ記述子内のイベントリレーのチャンネル変更後のチャンネル番号及び番組識別ＩＤ（EVENT ID）を保持する。そして、現在録画中の番組が終了すると、録画を停止する。録画の停止後、保持されている上記チャンネル番号に選局する。そして、選局されたチャンネルで放送されている番組の番組識別ＩＤが、保持されている上記番組識別ＩＤと合致すれば、録画を再開するようにしていた。
【先行技術文献】
【特許文献】
【０００６】
【特許文献１】特開２００４−２０８１４８号公報
【発明の概要】
【発明が解決しようとする課題】
【０００７】
しかしながら、上記のようなイベントリレーに追従して録画する機能は、特定の番組を個別に録画する通常録画に対してのものであった（なお、特許文献１は通常録画に対するイベントリレー追従録画に関する）。従来、通常録画とは別の録画方法として、特定のチャンネルに関して一日のうち予め設定された時間帯で繰り返して録画するループ録画（繰り返し録画）と呼ばれるものもあった。
【０００８】
しかしながら、上記ループ録画の場合は、チャンネルを固定して録画するため、録画中のチャンネルにおいてイベントリレーが発生した場合でも、チャンネルを変更して録画することができず、イベントリレーにより放送が継続された番組を視聴することができない場合があった。
【０００９】
上記状況に鑑み、本発明は、ループ録画を実行中にイベントリレーが発生した場合でも、イベントリレーにより放送が継続された番組の視聴をより確実なものとできる録画装置を提供することを目的とする。
【課題を解決するための手段】
【００１０】
上記目的を達成するために本発明の一態様に係る録画装置は、放送信号の受信処理を行う少なくとも一つの受信部と、
前記受信部を用いて特定のチャンネルに関して予め設定された時間帯を繰り返して録画する繰り返し録画を実行する第１の録画部と、
前記繰り返し録画の実行中に放送中の番組のチャンネル変更の発生を検知する制御部と、
前記制御部による検知に基づき、前記受信部を用いて前記チャンネル変更による変更後のチャンネルで放送される継続番組の録画を実行する第２の録画部と、を備える構成としている（第１の構成）。
【００１１】
また、上記第１の構成において、前記制御部は、複数の前記受信部のうち使用可能な前記受信部を用いて前記継続番組を通常録画するための録画予約を設定し、前記第２の録画部は前記設定された録画予約に基づいて録画を実行することとしてもよい（第２の構成）。
【００１２】
このような構成によれば、継続番組の録画をループ録画と並行して実行することが可能となる。
【００１３】
また、上記第２の構成において、繰り返し録画による録画データが記録される第１の録画領域と通常録画による録画データが記録される第２の録画領域とを有する記録部を更に備えることとしてもよい（第３の構成）。
【００１４】
また、上記第３の構成において、前記制御部は、前記第１の録画領域に記録された前記チャンネル変更の発生した番組が前記第１の録画領域の空き容量に基づいて自動的に削除されたときに、前記第２の録画領域に記録された前記継続番組を削除することとしてもよい（第４の構成）。
【００１５】
このような構成によれば、単独で残存させても意味の少ない継続番組を削除し、録画可能領域を広げることができる。
【００１６】
また、上記第３又は第４の構成において、前記制御部は、前記第１の録画領域に記録された前記チャンネル変更の発生した番組を前記第２の録画領域に保存するときに、前記チャンネル変更の発生した番組と前記継続番組とを結合することとしてもよい（第５の構成）。
【００１７】
このような構成によれば、イベントリレーの発生した番組を第１の録画領域における自動削除による喪失から回避させるために第２の録画領域に保存させるときに、自動的にイベントリレーの発生した番組と継続番組とを結合させることで適切なコンテンツの管理が可能となる。
【００１８】
また、上記第３〜第５のいずれかの構成において、前記制御部は、前記継続番組を録画可能な繰り返し録画の録画計画が設定されているかを判定し、前記判定結果に応じて前記録画予約を設定するか否かを切替えることとしてもよい（第６の構成）。
【００１９】
このような構成によれば、継続番組を録画可能なループ録画の録画計画が設定されている場合に、通常録画による録画予約が不要となる。
【００２０】
また、上記第６の構成において、前記制御部は、前記第１の録画領域に記録された前記チャンネル変更が発生した番組と前記継続番組のうちいずれか一方を前記第２の録画領域に保存したときに、他方も前記第２の録画領域に保存し、前記第２の録画領域に保存された前記チャンネル変更が発生した番組と前記継続番組を結合することとしてもよい（第７の構成）。
【００２１】
このような構成によれば、イベントリレーの発生した番組と継続番組のうち一方を第１の録画領域における自動削除による喪失から回避させるために第２の録画領域に保存させるときに、自動的に他方も第２の録画領域に保存でき、更にイベントリレーの発生した番組と継続番組とを結合させることで適切なコンテンツの管理が可能となる。
【００２２】
また、上記第７の構成において、前記制御部が前記一方を保存する際に、前記他方が前記第１の録画領域の空き容量に基づいて自動的に削除されていたときは、その旨を通知する第１の通知部を更に備えることとしてもよい（第８の構成）。
【００２３】
このような構成によれば、ユーザにイベントリレーの発生した番組と継続番組のうち一方が自動削除されたことを知らせることができる。
【００２４】
また、上記第２〜第８のいずれかの構成において、前記制御部は、前記継続番組を録画するために使用可能な前記受信部がないとき、前記継続番組と重複する通常録画予約が設定され、且つ当該通常録画予約による録画予定番組を録画可能な繰り返し録画の録画計画が設定されているかを判定し、
前記判定結果に基づいて前記通常録画予約を取り消し、
前記通常録画予約の取り消しによって使用可能となった前記受信部を用いて前記継続番組を通常録画するための録画予約を設定することとしてもよい（第９の構成）。
【００２５】
このような構成によれば、継続番組を録画するために使用可能な受信部がない場合でも、使用可能な受信部を生じさせることができ、継続番組の録画が可能となる。
【００２６】
また、上記第９の構成において、前記制御部によって前記通常録画予約が取り消された旨を通知する第２の通知部を更に備えることとしてもよい（第１０の構成）。
【００２７】
このような構成によれば、予約をしたにもかかわらず通常録画予約が取り消されたことにユーザが装置の故障ではないかと誤解を起こすことを防ぐことができる。
【００２８】
また、上記第１の構成において、前記制御部は、所定の物理チャンネルに含まれる第１論理チャンネルについての繰り返し録画中に前記チャンネル変更の発生を検知し、前記第２の録画部は、前記所定の物理チャンネルに含まれる第２論理チャンネルの前記継続番組の録画を実行することとしてもよい（第１１の構成）。
【００２９】
このような構成によれば、一つの受信部によってループ録画と継続番組の録画を並行して実行することができる。
【００３０】
また、上記第１〜第１１のいずれかの構成において、繰り返し録画によって録画された前記チャンネル変更が発生した番組を再生する再生部と、
前記再生部による再生が終了すると、録画された前記継続番組の再生を実行するかを選択する選択部と、を更に備え、
前記再生部は、前記選択部における選択結果に応じて前記継続番組の再生を実行することとしてもよい（第１２の構成）。
【００３１】
このような構成によれば、ユーザの嗜好に応じて、イベントリレーが発生した番組に続けて継続番組を再生させることができる。
【発明の効果】
【００３２】
本発明によると、ループ録画を実行中にイベントリレーが発生した場合でも、イベントリレーにより放送が継続された番組の視聴をより確実なものとできる。
【図面の簡単な説明】
【００３３】
【図１】本発明の第１実施形態に係る録画装置のブロック構成図である。
【図２】ループ録画の録画計画の一例を示す図である。
【図３】本発明の第１実施形態に係る録画制御に関するフローチャートである。
【図４】本発明の第１実施形態に係る録画制御による具体例を示す図である。
【図５】本発明の第１実施形態に係る録画制御による具体例を示す図である。
【図６】本発明の第１実施形態に係る再生制御に関するフローチャートである。
【図７】本発明の第１実施形態に係る再生制御において表示されるメッセージの一例を示す図である。
【図８Ａ】本発明の第２実施形態に係る録画制御に関するフローチャートである。
【図８Ｂ】本発明の第２実施形態に係る録画制御に関するフローチャートである。
【図９】本発明の第２実施形態に係る録画制御による具体例を示す図である。
【図１０】本発明の第３実施形態に係る録画制御による具体例を示す図である。
【発明を実施するための形態】
【００３４】
以下に本発明の一実施形態について図面を参照して説明する。
【００３５】
＜第１実施形態＞
＜＜録画装置の構成＞＞
本発明の第１実施形態に係る録画装置のブロック構成を図１に示す。図１に示す録画装置１は、受信部であるチューナ部２、データ処理部３、記録部４、出力部５、操作部６、記憶部７、及び制御部８を備えている。録画装置１は、不図示のアンテナやモニタ、或いはテレビ受信機に電気的に接続され、テレビ放送の録画や再生のために利用される。
【００３６】
チューナ部２は、テレビ放送局から提供される放送信号の受信に利用される。チューナ部２は、不図示のアンテナから受信した放送信号の選局及び復調を行う。録画装置１は、３つのチューナ部２（Ｔ０、Ｔ１、Ｔ２）を備え、同時に３チャンネルの放送番組の録画が可能である。なお、チューナ部２の数は複数であればよく、特に３つに限定されるものではない。
【００３７】
データ処理部３は、チューナ部２から受け取った放送信号に基づいて映像音声信号を生成し、当該信号を記録部４または出力部５に送信する。また、データ処理部３は、記録部４の録画コンテンツに対して再生処理を行い、処理後の映像音声信号を出力部５に送信もする。
【００３８】
記録部４は、チューナ部２及びデータ処理部３を介して取得した映像音声信号（放送番組）を録画コンテンツとして記録する。記録部４は、ＨＤＤ（ハードディスクドライブ）や光ディスク装置などからなり、録画装置１に内蔵されているもののほか、外付けされているものでもよい。
【００３９】
出力部５は、データ処理部３から受け取った映像音声信号や、メニュー画面、電子番組表等のＯＳＤ（オンスクリーンディスプレイ）画像データを外部に出力する。出力部５の出力信号は録画装置１に電気的に接続される例えばモニタやテレビ受信機に送出される。モニタやテレビ受信機は、出力部５の出力信号に基づく映像及びＯＳＤ画像を自身の画面に表示させ、音声をスピーカから出力させる。
【００４０】
操作部６は、録画装置１の筐体表面や不図示のリモコンに設けられた各種操作キーを備える。例えば、操作部６は、ユーザによる番組の録画や録画番組の再生に係る操作、電子番組表や録画計画などに係る操作を受け付ける。
【００４１】
制御部８は、不図示の演算部やその他の電子部品で構成され、記憶部７等に予め記憶、入力されたプログラム、データに基づき録画装置１の各部を統括的に制御する。
【００４２】
記憶部７は、制御部８が利用する上記プログラムやデータの他、ＥＰＧ（電子番組表）情報や、記録部４に対する録画計画を記憶する。
【００４３】
録画装置１は、特定の番組を個別に録画する通常録画を行うことが可能である。通常録画の録画予約（録画計画の作成）は、例えば出力部５に接続されたモニタ等に表示された設定画面において操作部６の操作によりチャンネル、録画開始時刻、及び録画終了時刻を入力することや、モニタ等に表示された電子番組表において操作部６の操作により番組を選択することで行われる。通常録画の録画予約内容は記憶部７に記憶される。そして、制御部８は、記憶部７に記憶された上記録画予約内容に基づき、記録部４に予め設定された通常録画領域４Ａに番組の録画を行う。
【００４４】
また、録画装置１は、通常録画のほかにループ録画を行うことが可能となっている。ループ録画は、特定のチャンネルに関して一日のうち所定の時間帯で繰り返して番組を録画するものである。例えば図２によれば、３つのチューナ部２のうち、チューナ部２（Ｔ０、Ｔ１）に対してループ録画予約が設定されている。チューナ部Ｔ０に対してチャンネルＡが設定され、チューナ部Ｔ１に対してチャンネルＢが設定される。ここでは一例としてチャンネルの設定に対して録画時間帯の設定はチャンネル間で同一にだけ設定可能としており、図２ではチャンネルＡ、Ｂともに開始時刻４時から終了時刻１９時まで番組を録画するよう設定されている。
【００４５】
ここで、デジタル放送では、１つの物理チャンネル（各放送局に割り当てられる周波数帯）において、ハイビジョン１チャンネル分、又は標準画質複数チャンネル分の周波数帯域が確保されており、標準画質放送では同時に最大３つの異なる番組を編成できる。このように最大３つの異なる番組を編成することができるため、ループ録画においては、各チューナ部２ごとに３つのチャンネル（論理チャンネル）の中から１つ指定して録画を行う。図２の例であれば、チャンネルＡ、及びチャンネルＢはそれぞれこのように指定された論理チャンネルである。なお、通常録画においても、各チューナ部２ごとに上記のように３つのうちから１つ論理チャンネルを指定して録画を行う。
【００４６】
ループ録画に関して、制御部８は上記のような設定（録画計画）に基づいて毎日繰り返し、記録部４に予め設定されたループ録画領域４Ｂへの番組の録画を実行する。録画の実行によってループ録画領域４Ｂの記録可能領域が残り少なくなると、古い録画データから順に削除（上書き）して録画を継続する（自動削除機能）。
【００４７】
なお、記録部４には、録画コンテンツ（番組）ごとに録画コンテンツに関するメタ情報が記録される。当該メタ情報は、例えば録画日、録画開始時刻、録画時間（録画開始から終了までの時間）、録画チャンネル、番組タイトル、放送時間（放送日、放送開始時刻、放送終了時刻等）、番組詳細情報等が含まれる。番組タイトル、放送時間、番組詳細情報等は、ＥＰＧ情報に基づいて取得できる。
【００４８】
＜＜ループ録画中のイベントリレー発生時の録画制御＞＞
次に、このような構成である録画装置１におけるループ録画中のイベントリレー発生時の録画制御について図３に示すフローチャートを用いて説明する。
【００４９】
録画計画に従って或る番組のループ録画がされているときに、制御部８はイベントリレーの発生がしたか否かを監視している（ステップＳ１）。先述した通り、イベントリレーの発生の検知は、放送波に含まれるＥＩＴ[p/f]データにイベントグループ記述子が含まれることを検知することによって行える。制御部８は、データ処理部３から取得されるＥＩＴ[p/f]データを監視している。
【００５０】
イベントリレーの発生が検知された場合（ステップＳ１のＹ）、ステップＳ２に進み、制御部８は、イベントリレーによる変更後のチャンネルで放送される番組（現在録画中の番組の後に放送される番組）を録画することのできるループ録画の録画計画が記憶部７に設定されているかを判定する（ステップＳ２）。なお、イベントリレーによる変更後のチャンネルは、イベントグループ記述子に含まれている。
【００５１】
ここで、上記のようなループ録画の録画計画が記憶されている場合は（ステップＳ２のＹ）、そのまま処理は終了する（エンド）。
【００５２】
例えば図４に示す例では、チューナ部Ｔ０、Ｔ１に対してそれぞれチャンネルＡ、Ｂでの１５時から２２時までの時間帯でのループ録画が設定されている（ハッチングはループ録画の録画計画を示す、以降の図でも同様）。このような録画計画に従って、１５時から１８時まではチャンネルＡについては番組ＸＸ及びＹＹが録画され、チャンネルＢについては番組ＦＦ及びＧＧが録画される。番組ＹＹの録画中にイベントリレーが発生してこれが検知された場合、イベントリレーによる変更後のチャンネルであるチャンネルＢで放送される番組（１８時から放送される番組）はチャンネルＢについて設定された録画計画によって録画可能である（ステップＳ２のＹ）。従って、そのままでも録画計画に従ってイベントリレーによる変更後のチャンネルＢで放送される番組ＹＹが録画される。このとき、チャンネルＡについては録画計画に従って番組ＺＺも録画される。
【００５３】
一方、ステップＳ２で、上記のようなループ録画の録画計画が設定されていない場合は（ステップＳ２のＮ）、ステップＳ３に進み、制御部８は、イベントリレーによる変更後のチャンネルで放送される番組を録画可能な通常録画予約が既に記憶部７にされているかを判定する。ここで、このような通常録画予約が既にされていれば（ステップＳ３のＹ）、そのまま処理は終了となる（エンド）。この場合、イベントリレーによる変更後のチャンネルで放送される番組を通常録画によって録画することができる。
【００５４】
また、ステップＳ３で、上記のような通常録画予約がされていなければ（ステップＳ３のＮ）、ステップＳ４に進み、制御部８は、イベントリレーによる変更後のチャンネルで放送される番組の録画に使用可能なチューナ部２（空きのチューナ部２）が存在するかを判定する。もし、そのような空きチューナ部２がなければ（ステップＳ４のＮ）、そのまま処理は終了となる（エンド）。この場合は、イベントリレーによる変更後のチャンネルで放送される番組を録画はできない。
【００５５】
一方、ステップＳ４で上記のような空きのチューナ部２があれば（ステップＳ４のＹ）、ステップＳ５に進み、制御部８は、イベントリレーによる変更後のチャンネルで放送される番組を録画する通常録画予約を記憶部７に設定する。そして、処理は終了となる（エンド）。
【００５６】
例えば図５の例であれば、チャンネルＡについて録画番組ＹＹのループ録画中にイベントリレーが発生してこれを検知すると、イベントリレーによる変更後のチャンネルＢで放送される番組を録画する通常録画予約（チャンネルＢについての黒塗り部）が設定され、設定された通常録画予約に基づいて番組ＹＹが録画される。
【００５７】
このように、本実施形態であれば、ループ録画による録画中にイベントリレーが発生した場合でも、イベントリレーによる変更後のチャンネルで放送される番組を録画することができ、ユーザがこの番組を視聴することをより確実なものにできる。
【００５８】
＜＜録画番組の編集＞＞
上記のようにループ録画中にイベントリレーが発生した録画番組が上記自動削除機能により記録部４のループ録画領域４Ｂから削除された場合、制御部８は、上記イベントリレーによる変更後のチャンネルで放送される番組の録画番組もループ録画領域４Ｂ（ループ録画の場合）或いは通常録画領域４Ａ（通常録画の場合）から削除する。これにより、単独で残存しても意味の少ない録画番組を削除して録画可能領域を広げることができる。
【００５９】
また、上記のようにループ録画中にイベントリレーが発生した録画番組をループ録画領域４Ｂから通常録画領域４Ａへ保存させて（ダビングまたは一方を削除）、自動削除によるデータ喪失を回避する場合、制御部８は、ループ録画領域４Ｂに録画されたイベントリレーによる変更後のチャンネルで放送される番組の録画番組を通常録画領域４Ａに保存した上で上記保存させた録画番組と結合して一つのコンテンツとする。これにより、コンテンツを適切に管理できる。
【００６０】
このとき、ループ録画領域４Ｂに録画されたイベントリレーによる変更後のチャンネルで放送される番組の録画番組が上記自動削除機能により削除されていた場合は、制御部８は、例えば出力部５を用いてモニタ等にイベントリレーによる継続番組が無い旨を表示させる。なお、ループ録画領域４Ｂに録画されたイベントリレーによる変更後のチャンネルで放送される番組の録画番組を通常録画領域４Ａへ保存させた場合は、ループ録画中にイベントリレーが発生した録画番組を  ループ録画領域４Ｂから通常録画領域４Ａへ保存させて、上記のように一つのコンテンツとしての結合を行う。
【００６１】
また、イベントリレーによる変更後のチャンネルで放送される番組が通常録画領域４Ａに録画されている場合も、通常録画領域４Ａにおいて上記のような一つのコンテンツとしての結合を行えばよい。
【００６２】
＜＜録画番組の再生＞＞
次に、ループ録画による録画番組の再生時における動作について図６に示すフローチャートを用いて説明する。
【００６３】
記録部４にループ録画により録画された番組の再生が制御部８により実行されているとき、制御部８が再生番組の終了を検知すると（ステップＳ１１のＹ）、ステップ１２に進む。ここで、制御部８は、現在の再生番組においてイベントリレーが発生したかを判定する。録画中にイベントリレーの発生を検知した場合、録画中の番組の管理情報にイベントリレーが発生した旨の情報を含めるようにしているので、上記判定が可能となる。
【００６４】
もしイベントリレーが発生していれば（ステップＳ１２のＹ）、ステップＳ１３に進み、制御部８は、その旨を示すメッセージを出力部５を用いてモニタ等に表示させる。このメッセージには、図７の例に示すように、イベントリレーによる変更後のチャンネルで放送される番組の録画番組を再生させるかをユーザに選択させる選択肢が表示される。
【００６５】
ここで再生させる選択肢が操作部６により選択された場合（ステップＳ１４のＹ）、ステップＳ１５に進み、制御部８は、対応するイベントリレーによる変更後のチャンネルで放送される番組の録画番組を記録部４（通常録画領域４Ａ或いはループ録画領域４Ｂ）から再生させる。これにより、ユーザはイベントリレーによる継続番組を続けて視聴することができる。
【００６６】
一方、イベントリレーが発生していない場合や（ステップＳ１２のＮ）、上記メッセージにおいて再生しない選択肢が選択された場合は（ステップＳ１４のＮ）、制御部８は、再生を停止させる（ステップＳ１６）。
【００６７】
なお、モニタ等に表示された設定画面における操作部６による設定に応じて、イベントリレーが発生した場合にステップＳ１３の表示を行うか、ステップＳ１３及びＳ１４を省略してそのままステップＳ１５で再生させるかを切替えるようにしてもよい。
【００６８】
＜第２実施形態＞
次に、本発明の第２実施形態について説明する。本実施形態は、第１実施形態の変形例となり、本実施形態に係る録画中のイベントリレー発生時の録画制御について図８Ａ及び図８Ｂに示すフローチャートを用いて説明する。
【００６９】
図８ＡのフローチャートのステップＳ１〜Ｓ５については第１実施形態の図３と同様であり、相違点としてはステップＳ４において、イベントリレーによる変更後のチャンネルで放送される番組の録画に使用可能なチューナ部２（空きのチューナ部２）がなかった場合（ステップＳ４のＮ）の処理となる。
【００７０】
この場合の処理について図８Ｂを用いて説明する。ステップＳ４の後、ステップＳ６に進み、制御部８は、イベントリレーによる変更後のチャンネルで放送される番組と重複する通常録画予約が記憶部７に設定されているかを判定する。
【００７１】
ここで、設定されていれば（ステップＳ６のＹ）、ステップＳ７に進み、制御部８は、上記設定された通常録画予約により録画予定の番組を録画可能なループ録画の録画計画が記憶部７に設定されているかを判定する。
【００７２】
ここで、設定されていれば（ステップＳ７のＹ）、上記設定された通常録画予約は不要と言えるので制御部８は、ステップＳ８にてこの通常録画予約を記憶部７から削除する（予約の取り消し）。これにより使用できるチューナ部２が１つ生じたことになるので、ステップＳ５（図８Ａ）に進み、制御部８は、上記使用可能なチューナ部２に対してイベントリレーによる変更後のチャンネルで放送される番組の録画の通常録画予約を記憶部７に設定する。これにより、ステップＳ４で空きのチューナ部がないと判定された場合でも、イベントリレーによる継続番組の録画をすることが可能となる。
【００７３】
このような処理について図９を用いて具体例を説明する。チャンネルＡについてループ録画による番組ＹＹの録画中にイベントリレーの発生が検知された場合、既にチューナ部Ｔ１に対しては通常録画予約９１が設定され、チューナ部Ｔ２に対してはループ録画の録画計画９３が設定されているので、空きのチューナ部２は無いことになる。しかしながら、通常録画予約９１により録画予定の番組は録画計画９３によるループ録画によって録画可能である。従って、不要である通常録画予約９１は取り消し、代わりにチューナ部Ｔ１に対して通常録画予約９２を設定する。これにより、通常録画予約９２に従ってイベントリレーによる継続番組である番組ＹＹが録画されることになる。
【００７４】
なお、ステップＳ８で通常録画予約を取り消した場合、その旨とループ録画により代わりに録画可能であることを通知するメッセージを通常録画予約の一覧（モニタ等に表示）において表示してもよい。
【００７５】
＜第３実施形態＞
次に、本発明の第３実施形態について説明する。本実施形態では、ループ録画の録画計画として、１つのチューナ部２に対して物理チャンネルを指定できるものとする。なお、本実施形態では、録画装置１はチューナ部２を１つのみ備えていてもよい。
【００７６】
そして、指定された物理チャンネルにおける或る第１論理チャンネルでのループ録画を実行しているときにイベントリレーが発生した場合、制御部８はこれを検知する。そして、制御部８は、イベントリレーによる変更後の第２論理チャンネル（指定された物理チャンネルに含まれる）で放送される番組を記録部４のループ録画領域４Ｂに録画させる。このとき、第１論理チャンネルについてはループ録画を同時に実行する。第２論理チャンネルで放送される番組が終了すれば、録画は停止される。
【００７７】
ここで図１０を用いて具体例を説明する。図１０では、チューナ部Ｔ０に対して物理チャンネルであるチャンネルＸを指定して１５時から２２時までのループ録画の録画計画が設定されている。そして、この録画計画に従って第１論理チャンネルであるチャンネルＸ１について番組ＱＱの録画中にイベントリレーが発生したとする。すると、これが検知され、第２論理チャンネルであるチャンネルＸ２についてイベントリレーによる継続番組である番組ＱＱが録画されると共に、番組ＲＲがループ録画により録画される。
【００７８】
このように本実施形態であれば、１つのチューナ部２によってループ録画とイベントリレーによる継続番組の録画が可能となる。
【００７９】
なお、第１実施形態で述べた録画番組の編集や再生については、本実施形態に適用することも可能である。
【００８０】
以上、本発明の実施形態について説明したが、本発明の趣旨の範囲内であれば、実施形態は種々の変更が可能である。
【００８１】
例えば、ステップＳ５における通常録画予約による録画は通常録画領域４Ａではなく、ループ録画領域４Ｂに行ってもよい。
【符号の説明】
【００８２】
１  録画装置
２  チューナ部
３  データ処理部
４  記録部
４Ａ  通常録画領域
４Ｂ  ループ録画領域
５  出力部
６  操作部
７  記憶部
８  制御部
【図１】
0006555036.tif 000002
【図２】
0006555036.tif 000003
【図３】
0006555036.tif 000004
【図４】
0006555036.tif 000005
【図５】
0006555036.tif 000006
【図６】
0006555036.tif 000007
【図７】
0006555036.tif 000008
【図８Ａ】
0006555036.tif 000009
【図８Ｂ】
0006555036.tif 000010
【図９】
0006555036.tif 000011
【図１０】
0006555036.tif 000012